(57)【要約】【課題】イオン発生機に放電針の清掃装置を設けるにあたり、簡単な構成で十分に清掃の目的を達成できるようにする。【解決手段】イオン発生機１は、放電針２１の放電によりイオンを発生するイオン発生装置１６と、イオン発生装置１６を収納し、空気入口１３と空気出口１４が形成された筐体１０と、送風機１５を備える。送風機１５は空気入口１３から筐体１０に入りイオン発生装置１６を経由して空気出口１４から出る気流を形成する。放電針２１にはその表面から塵埃を除去する清掃体２２が組み合わせられる。清掃体２２は空気出口１４に設けられた可動式ガード１８の動きに連動して放電針２１に対し相対的移動を行う。ガード１８は空気出口１４に対し直線的に相対移動を行い、筐体１０から取り外し可能である。【選択図】図２
2012128990.tif 000002
【特許請求の範囲】
【請求項１】
放電針の放電によりイオンを発生するイオン発生装置と、
前記イオン発生装置を収納し、空気入口と空気出口が形成された筐体と、
送風機を備え、
前記送風機は前記空気入口から前記筐体に入り前記イオン発生装置を経由して前記空気出口から出る気流を形成するものであり、
前記放電針にはその表面から塵埃を除去する清掃体が組み合わせられ、前記清掃体は前記空気出口に設けられた可動式ガードの動きに連動して前記放電針に対し相対的移動を行うことを特徴とするイオン発生機。
【請求項２】
前記送風機は前記筐体に内蔵されていることを特徴とする請求項１に記載のイオン発生機。
【請求項３】
前記ガードは前記筐体から取り外し可能であることを特徴とする請求項１または２に記載のイオン発生機。
【請求項４】
前記放電針は前記空気入口から前記空気出口に至る気流に対し直角をなすように配置され、前記清掃体は前記放電針の長さ方向に相対移動を行うことにより前記放電針の清掃を行うことを特徴とする請求項１から３のいずれか１項に記載のイオン発生機。
【請求項５】
前記ガードは前記空気出口に対し直線的に相対移動を行うことを特徴とする請求項１から４のいずれか１項に記載のイオン発生機。
【請求項６】
前記ガードは前記空気出口に対し支点を中心とする回転を行うことを特徴とする請求項１から４のいずれか１項に記載のイオン発生機。
【請求項７】
前記清掃体はブラシからなる清掃部を有することを特徴とする請求項１から６のいずれか１項に記載のイオン発生機。
【請求項８】
前記清掃体は柔軟な板状体からなる清掃部を有することを特徴とする請求項１から６のいずれか１項に記載のイオン発生機。
【発明の詳細な説明】
【技術分野】
【０００１】
本発明はイオン発生機に関する。
【背景技術】
【０００２】
近年、正イオン（プラスイオン）と負イオン（マイナスイオン）を発生させて、除菌、消臭、リフレッシュなどの効果が得られるようにした電気機器を目にすることが多くなっている。空気調和機、空気清浄機、除湿機などが、イオン発生機が組み合わせられる電気機器の代表的なものである。単体のイオン発生機として販売されているものもある。
【０００３】
イオンを発生させるため昔から採用されている方法の一つにコロナ放電がある。これは大気中で放電針に高電圧を印加してコロナ放電を行わせ、電気的にイオンを発生させるというものである。コロナ放電を利用したイオン発生機の例を特許文献１〜４に見ることができる。
【０００４】
特許文献１に記載されたイオン発生機は、針電極とアース電極の間に直流高電圧を印加して針電極尖端部でコロナ放電を生起させ、オゾン及びマイナスイオンを発生させる。これにより消臭効果と癒し効果を得ることをねらいとしている。
【０００５】
放電針の針先に塵埃が付着し、堆積すると、コロナ放電が発生しにくくなり、イオン発生性能が低下する。このため、放電針は定期的に清掃されることが望ましい。特許文献２〜４に記載されたイオン発生機は、いずれも放電針の清掃装置を備えている。
【０００６】
特許文献２に記載されたイオン発生機では、除電のためにイオンを発生する放電針にブラシが設けられ、ブラシで放電針を擦ることにより放電針の掃除を行う。
【０００７】
特許文献３に記載されたイオン発生機では、放電針が形成された板金が絶縁体の回転軸に取り付けられ、回転軸を回転させるとき板金が横切って移動する位置に、掃除用ブラシが配置されている。
【０００８】
特許文献４に記載されたイオン発生機では、放電針に清掃体が設けられ、清掃体を操作部で移動させて放電針の清掃を行う。
【先行技術文献】
【特許文献】
【０００９】
【特許文献１】特開２００４−１８３４８号公報
【特許文献２】特開２００７−２８０７０１号公報
【特許文献３】特開２００７−２９３０６６号公報
【特許文献４】特開２０１０−２７３９０号公報
【発明の概要】
【発明が解決しようとする課題】
【００１０】
放電針によるコロナ放電でイオンを発生させるイオン発生機では、放電針を清掃する必要に迫られて人の手で清掃を行った場合、放電針の先端部が傷んだり、無理な力がかかって放電針が歪む、あるいは放電針取付部が破損するなどの事態を招くことがある。
【００１１】
特許文献２〜４に記載されたイオン発生機は、いずれも、放電針に清掃機構が設けられているから、人の手で清掃を行ったときに生じ得る上記の問題からは免れている。しかしながら、清掃機構の実現にあたり、制御装置の制御に基づいて掃除動作を周期的に行うこととしたり（特許文献２）、放電針が形成された板金を絶縁体の回転軸に取り付け、この回転軸を回転させることとしたり（特許文献３）、清掃体を移動させるだけのために操作部を設けることとしたり（特許文献４）と、ともすればイオン発生機の構造を複雑化させる設計が強いられる結果となっていた。
【００１２】
本発明は上記の点に鑑みなされたものであり、イオン発生機に放電針の清掃装置を設けるにあたり、簡単な構成で十分に清掃の目的を達成できるようにすることを目的とする。
【課題を解決するための手段】
【００１３】
本発明の好ましい実施形態によれば、イオン発生機は、放電針の放電によりイオンを発生するイオン発生装置と、前記イオン発生装置を収納し、空気入口と空気出口が形成された筐体と、送風機を備え、前記送風機は前記空気入口から前記筐体に入り前記イオン発生装置を経由して前記空気出口から出る気流を形成するものであり、前記放電針にはその表面から塵埃を除去する清掃体が組み合わせられ、前記清掃体は前記空気出口に設けられた可動式ガードの動きに連動して前記放電針に対し相対的移動を行う。
【００１４】
また、上記構成のイオン発生機において、前記送風機は前記筐体に内蔵されていることが好ましい。
【００１５】
また、上記構成のイオン発生機において、前記ガードは前記筐体から取り外し可能であることが好ましい。
【００１６】
また、上記構成のイオン発生機において、前記放電針は前記空気入口から前記空気出口に至る気流に対し直角をなすように配置され、前記清掃体は前記放電針の長さ方向に相対移動を行うことにより前記放電針の清掃を行うことが好ましい。
【００１７】
また、上記構成のイオン発生機において、前記ガードは前記空気出口に対し直線的に相対移動を行うことが好ましい。
【００１８】
また、上記構成のイオン発生機において、前記ガードは前記空気出口に対し支点を中心とする回転を行うことが好ましい。
【００１９】
また、上記構成のイオン発生機において、前記清掃体はブラシからなる清掃部を有することが好ましい。
【００２０】
また、上記構成のイオン発生機において、前記清掃体は柔軟な板状体からなる清掃部を有することが好ましい。
【発明の効果】
【００２１】
本発明によると、筐体内に異物が侵入しないように空気出口に設けられるガードを可動式にし、ガードの動きに連動して清掃体が放電針に対し相対的移動を行うようにしたから、放電針の清掃を手軽に行える上、清掃体を動かすのに専用の構成要素を新設する必要がなく、実施容易である。また、使用者が放電針に手を触れることなく放電針の清掃を行うことができるので、放電針の損傷が回避される上、使用者が怪我をすることもない。
【図面の簡単な説明】
【００２２】
【図１】本発明の実施形態に係るイオン発生機の水平断面図である。
【図２】図１のＡ−Ａ断面図である。
【図３】図１のＢ−Ｂ断面図である。
【図４】本発明の実施形態に係るイオン発生機を空気出口の側から見た側面図である。
【図５】イオン発生機に内蔵されるイオン発生装置の上面図である。
【図６】図１のＣ−Ｃ断面図である。
【図７】図２に相当する断面図で、筐体の空気出口からガードが取り外された状態を示すものである。
【図８】図３に相当する断面図で、筐体の空気出口からガードが取り外された状態を示すものである。
【図９】図６に相当する断面図で、筐体の空気出口からガードが取り外された時の状態を示すものである。
【図１０】回路構成を示すブロック図である。
【発明を実施するための形態】
【００２３】
本発明の実施形態であるイオン発生機１は、単体で、部屋の中に据え置いて使用するものとして設計されている。イオン発生機１は細長い直方体形状の合成樹脂製筐体１０を備える。筐体１０の内部には、それを長手方向に貫通する送風路１１と、送風路１１よりも断面積の小さい電装室１２が互いに平行する形で形成されている。
【００２４】
送風路１１の一端は空気入口１３、他端は空気出口１４となる。送風路１１には空気入口１３と空気出口１４の間に送風機１５とイオン発生装置１６が内蔵されている。送風機１５は空気入口１３に近い側に配置され、空気入口１３から筐体１０に入りイオン発生装置１６を経由して空気出口１４から出る気流を形成する。イオン発生装置１６は送風機１５から出て空気出口１４に向かう気流の中にイオンを放出する。イオン発生装置１６は正イオンＨ+（Ｈ2Ｏ）m（ｍは任意の自然数）と負イオンＯ2-（Ｈ2Ｏ）n（ｎは任意の自然数）を同時に生成することができる。
【００２５】
空気入口１３には、送風路１１の中に少し入った位置にフィルタ１７が配置される。フィルタ１７は送風路１１に入る空気から粗塵を捕捉するためのものである。
【００２６】
空気出口１４には、筐体１０と同じく合成樹脂の射出成型品であるガード１８が設けられる。ガード１８は筐体１０に外側からキャップのように被さる形状である。ガード１８は人の手指などの異物が筐体１０の内部に入るのを防止するためのものであり、端面に格子状の通気穴１９が形成されている。
【００２７】
ガード１８は可動式である。実施形態では、ガード１８は筐体１０に対し、筐体１０の軸線方向（長手方向）に直線的に相対移動可能、言い換えれば摺動可能とされている。図７及び図８にはガード１８が筐体１０から取り外された状態が描かれている。
【００２８】
イオン発生装置１６は、送風路１１と電装室１２を隔てる壁部の端に形成された固定ベース２０を中心として構成される。固定ベース２０には放電針２１が植え込まれる。放電針２１は空気入口１３から空気出口１４に至る気流に対し直角をなすように、言い換えれば気流の中に直角に突き出すように配置される。放電針２１は２本設けられ、筐体１０の長手方向と直角をなす方向に、互いに間隔を置いて横並びで配置されている。
【００２９】
放電針２１にはその表面から塵埃を掻き落とす清掃体２２が組み合わせられる。清掃体２２は、合成樹脂の射出成型品である可動ベース２３と、放電針２１の各々に対応して可動ベース２３に取り付けられる清掃部２４を備える。実施形態では、放電針２１を囲む形で可動ベース２３に形成された円形の貫通穴２５（図５参照）の内面に、毛先を放電針２１に向けて植え込まれた剛毛からなるブラシ２６が清掃部２４を構成している。ブラシ２６は、放電針２１との間に接触が生じないように、その先端を放電針２１の表面から僅かに離す形で配置されている。
【００３０】
可動ベース２３は固定ベース２０に対し、放電針２１の長さ方向に相対移動可能である。２本の放電針２１の中間の位置において、固定ベース２０と可動ベース２３の間に配置された圧縮コイルバネ２７が、可動ベース２３を上方に附勢する。筐体１０には可動ベース２３の上昇を止めるストッパ２８（図６参照）が形成されており、図９の位置が可動ベース２３の上昇限界となる。
【００３１】
可動ベース２３からは、ガード１８の方向に向けてブラケット２９が突出する。図１に示す通り、ブラケット２９は互いに間隔を置いて３個形成され、それら３個のいずれの上面にも、ガード１８の方に向かって下がる傾斜面３０が形成されている。これに対応してガード１８には、傾斜面３０に接触する押圧板３１が形成されている。ブラケット２９と押圧板３１は、可動ベース２３を固定ベース２０に対し相対移動させるカム装置を構成する。押圧板３１によりブラケット２９がスムーズに押し下げられるように、傾斜面３０の傾斜は適度な値に設定される。
【００３２】
電装室１２に収納された回路基板４０に、イオン発生機１の制御部が形成されている。図１０に制御部４１の概要を示す。制御部４１を構成するのは、駆動回路４２、高電圧発生回路４３、２本の放電針２１の一方に正高電圧を発生させる正高電圧発生回路４４、及び２本の放電針２１の他方に負高電圧を発生させる負高電圧発生回路４５である。駆動回路４２は、イオン発生装置１６の駆動（ＯＮ／ＯＦＦ）と、送風機１５の駆動（ＯＮ／ＯＦＦ）を制御するものである。
【００３３】
制御部４１には外部電源４６より電力が供給される。実施形態のイオン発生機１は据え置き型であるため、外部電源は交流１００Ｖということになる。イオン発生機１が携帯型のものであれば、外部電源４６としては筐体１０に取り付ける電池カートリッジを想定することができる。
【００３４】
イオン発生機１の動作につき説明する。イオンを発生させるときは、ガード１８を筐体１０に対して押し込み、図１から図３に示す状態にする。この状態では、ガード１８の押圧板３１が圧縮コイルバネ２７を圧縮して清掃体２２を押し下げており、清掃部２４から放電針２１が突き出している。放電針２１は送風路１１に僅かに突き出すのみであり、送風を妨げない。
【００３５】
外部電源４６より制御部４１に電力を供給し、送風機１５とイオン発生機１６を駆動させると、送風機１５は空気入口１３から入り、イオン発生装置１６を経由して空気出口１４から出る気流を形成する。フィルタ１７は流入する空気から粗塵を捕捉する。ガード１８は筐体１０内に異物が侵入するのを、特にそれがイオン発生装置１６に接近するのを防ぐ。イオン発生装置１６は正イオンと負イオンを生成し、それを送風路１１を流れる気流中に放出する。
【００３６】
高電圧が印加された放電針２１は空気中の塵埃を吸着する。イオン発生機１を継続して使用していると、時間の経過と共に放電針２１の表面の塵埃層が肥大し、放電を妨げるようになる。塵埃層の肥大が目視で確認できたら、あるいはイオン発生機１の累積使用時間により、塵埃層が肥大する頃と判断されたら、放電針２１の清掃を行う。
【００３７】
放電針２１の清掃を行うときは、図７及び図８に示すように筐体１０からカバー１８を引き抜く。押圧板３１による圧迫で押し縮められていた圧縮コイルバネ２７は伸長し、清掃体２２を押し上げる。清掃部２４は放電針２１の表面にすれすれの位置を上昇し、放電針２１の表面に付着した塵埃層を掻き落とす。通常、塵埃は放電針２１に軽く付着した状態なので、掻き落とし動作に大きな力は不要で、簡単に除去できる。清掃体２２が上昇限界に達したとき、清掃部２４が放電針２１の頂点より上に来ているように、清掃体２２の昇降ストロークを設定する。清掃部２４が掻き落とした塵埃は、次回送風機１５が駆動されたときに吹き飛ばされる。
【００３８】
ガード１８を元通り筐体１０に嵌合し、図１から図３に示す位置に押し込むと、押圧板３１により清掃体２２が押し下げられ、放電針２１が再び送風路１１を通る気流中に露出する。塵埃を除去された放電針２１は放電を妨げられず、効率良くイオンを発生する。
【００３９】
このように放電針２１の清掃を、人の手によらず、清掃体２２をもって行うから、放電針２１の先端部が痛んだり、無理な力がかかって放電針２１が曲がったり、放電針２１の取付部が破損したりするといった事態を招かずに済む。清掃体２２は空気出口１４に設けられるガード１８の動きに連動して放電針２１に対する相対的移動を行うものであるから、放電針２１の清掃を手軽に行える上、清掃体２２を動かすのに専用の構成要素を新設する必要がなく、実施容易である。使用者が放電針２１に手を触れることなく放電針２１の清掃を行うことができるので、放電針２１の損傷が回避される上、使用者が怪我をすることもない。
【００４０】
放電針２１の交換など、イオン発生装置１６のメンテナンスが必要なときは、ガード１８を取り外すことでそれを簡単に実施することができる。
【００４１】
イオン発生機１の構造を次のように変えることもできる。
【００４２】
ガード１８は、空気出口１４に対し直線的に相対移動するのでなく、支点を中心とする回転の形で空気出口１４に対し相対移動するものであってもよい。
【００４３】
ガード１８が筐体１０から取り外せるようになっていることは、イオン発生装置１６のメンテナンス時には必要であるが、それ以外の時点では必要ない。そこで、通常はガード１８が筐体１０から外れる前に図示しないストッパがガード１８の動きを止めてガード１８の分離が防がれるものとし、必要があるときはストッパが作用せずガード１８を取り外せるようにしておいてもよい。
【００４４】
送風機１５は、送風路１１に気流を形成できるものでありさえすれば良く、筐体１０に内蔵されていることは必須条件ではない。イオン発生機１を空気調和機や空気清浄機に組み合わせて用い、空気調和機や空気清浄機が既に持っている送風機をイオン発生機１の送風機として利用する構成も可能である。
【００４５】
清掃体２２に設ける清掃部２４はブラシに限定されない。軟質のゴムや合成樹脂などからなる柔軟な板状体に、放電針２１に触れない程度の大きさの貫通孔を明けたものを清掃部２４とすることもできる。
【００４６】
以上、本発明の実施形態につき説明したが、本発明の範囲はこれに限定されるものではなく、発明の主旨を逸脱しない範囲で種々の変更を加えて実施することができる。
【産業上の利用可能性】
【００４７】
本発明はイオン発生機に広く利用可能である。
【符号の説明】
【００４８】
１    イオン発生機
１０  筐体
１１  送風路
１３  空気入口
１４  空気出口
１５  送風機
１６  イオン発生装置
２１  放電針
２２  清掃体
２４  清掃部
２６  ブラシ
【図１】
2012128990.tif 000003
【図２】
2012128990.tif 000004
【図３】
2012128990.tif 000005
【図４】
2012128990.tif 000006
【図５】
2012128990.tif 000007
【図６】
2012128990.tif 000008
【図７】
2012128990.tif 000009
【図８】
2012128990.tif 000010
【図９】
2012128990.tif 000011
【図１０】
2012128990.tif 000012